(57)【要約】【課題】畳の感触を保持しつつ、意匠性に優れ、利用範囲の広い安価な発光畳を提供する。【解決手段】畳の側端隅部Ｆに、板材６を稜線Ｒに沿って固定し、その上に金属箔８を貼付ける。板材６の内側にテープＬＥＤ９を貼付け、該テープＬＥＤ９及び板材６の上にプラスチック板又は拡散板からなる上板１０を載置する。畳縁５が、テープＬＥＤ９、上板１０、板材６を包むように、畳床２に固定される。テープＬＥＤ９の光が、上板１０及び畳縁５を透して柔らかな光となって畳縁部分Ｆから発光する。【選択図】図３
0003200205.tif 000002
【実用新案登録請求の範囲】
【請求項１】
畳床と、該畳床の表面に配置される畳表と、畳床及び畳表の側端隅部に配置される畳縁と、を備え、
前記側端隅部の上面にテープ光源を配設し、該テープ光源を覆うように、前記畳縁を前記畳床に固定した、
ことを特徴とする発光畳。
【請求項２】
前記側端隅部上面に、該隅部の稜線に外側を揃えるように板材を配設し、
該板材の内側に沿って前記テープ光源を配設し、
前記板材及び前記テープ光源の上に上板を載置し、
該上板を覆うように、前記畳縁を前記畳床に固定した、
請求項１記載の発光畳。
【請求項３】
前記側端隅部の表面及び側部に亘って金属薄板を固定し、
該金属薄板上に前記テープ光源を固定した、
請求項１又は２記載の発光畳。
【請求項４】
前記テープ光源は、テープＬＥＤである、
請求項１ないし３のいずれか１項に記載の発光畳。
【請求項５】
前記側板が、導光板であり、
前記テープＬＥＤが、側方向に発光するＬＥＤチップを有し、
前記ＬＥＤチップの発光が、前記導光板の側端に入光し、該導光板の上面から出光してなる、
請求項４記載の発光畳。
【請求項６】
前記テープＬＥＤが、上方向に発光するＬＥＤチップを有する、
請求項４又は５記載の発光畳。
【請求項７】
前記上板が、拡散板である、
請求項２記載の発光畳。
【請求項８】
前記畳床の側端隅部の表側を所定量切欠き、該切欠いた凹部に前記畳縁を配置した、
請求項１ないし７のいずれか１項に記載の発光畳。
【考案の詳細な説明】
【技術分野】
【０００１】
本考案は、光源を畳の縁部分に内包する発光畳に関する。
【背景技術】
【０００２】
従来、癒し等の意匠性、夜間の足下の照明等を目的として、畳の内部に発光手段（光源）を設けた発光機能付きの畳が提案されている（特許文献１及び特許文献２参照）。
【０００３】
特許文献１には、畳の表面部、側面部又は縁端部に発光手段を設け、該発光手段を透光性の保護カバーで覆い、更に該保護カバーの上に畳表で覆った機能性畳が記載されている。
【０００４】
特許文献２には、畳床に、踏み板としての頂板、底板及び枠体で箱状の空間を形成し、枠体の内周面に光源を設置し、畳表を、天然イ草等の非透過性の第１の緯とポリプロピレン等の透過性の第２の緯で形成し、上方に遮光部を設けた光源からの斜めに当った光が、第２の緯を透過して第１の緯の表面に当って散乱するようにした、発光機能付き畳が記載されている。
【先行技術文献】
【特許文献】
【０００５】
【特許文献１】特開２００７−３０９０７１号公報
【特許文献２】特許第４４８４９２１号公報
【考案の概要】
【考案が解決しようとする課題】
【０００６】
前記特許文献１の機能性畳は、畳床に凹部を設けて該凹部に小型電球等の発光手段を配置するため、畳床を加工する必要があり、かつ該凹部を踏み抜かないように保護カバーにて覆う必要があり、コストアップの原因となっていると共に、畳の上面に多数の上記保護カバー部分が点在することとなり、柔軟性等の畳特有の感覚を損ねてしまう。また、凹部に設けた発光手段の光が、畳表を通って直接上方に点状に照射されるので、デザインが単純となり、畳と発光手段を相乗した特有のデザインを得ることができない。
【０００７】
前記特許文献２の発光機能付き畳は、透明な第２の緯を通るスリットの光は、その一部が天然イ草等の表面が粗面からなる第１の緯に斜めから入り、散乱して、柔かい光を発する機能性畳となるが、該発光機能付き畳は、頂板、底板及び枠体からなる箱状の畳床の上に畳表を敷いただけのものであり、稲わら等の畳床からなる畳本来の感覚とは別異なものとなって、その上に座ったり、寝たり、歩いたりする人に畳とは異なる違和感を与えてしまう。また、踏み抜かれないような箱体を構成する頑丈な頂板、底板及び枠体、枠体に形成された空間内への光源の設置、及び非透明及び透明の第１及び第２の緯からなる畳表等、製造が面倒な複雑なものとなり、極めて高価なものとなってしまう。
【０００８】
そこで、本考案は、一般の畳をそのまま用い、畳の縁部分に光源を付加することにより、上述した課題を解決した発光畳を提供することを目的とするものである。
【課題を解決するための手段】
【０００９】
本考案は、畳床（２）と、該畳床の表面に配置される畳表（３）と、畳床及び畳表の側端隅部（Ｆ）に配置される畳縁（５）と、を備え、前記側端隅部（Ｆ）の上面にテープ光源（９）を配設し、該テープ光源を覆うように、前記畳縁（５）を前記畳床（２）に固定した、ことを特徴とする発光畳にある。
【００１０】
例えば図２，図３に示すように、前記側端隅部（Ｆ）上面に、該隅部の稜線（Ｒ）に外側を揃えるように板材（６）を配設し、該板材の内側に沿って前記テープ光源（９）を配設し、前記板材（６）及び前記テープ光源（９）の上に上板（１０）を載置し、該上板を覆うように、前記畳縁（５）を前記畳床（２）に固定した。
【００１１】
前記側端隅部（Ｆ）の表面及び側部に亘って金属薄板（８）を固定し、該金属薄板上に前記テープ光源（９）を固定した。
【００１２】
前記テープ光源は、テープＬＥＤ（９）（９２）（９３）である。
【００１３】
例えば図５，図６に示すように、前記側板が、導光板（６２）であり、前記テープＬＥＤ（９２）（９３）が、側方向に発光するＬＥＤチップ（９ｂ）を有し、前記ＬＥＤチップ（９ｂ）の発光が、前記導光板（６２）の側端に入光し、該導光板の上面から出光してなる。
【００１４】
例えば図２，図３，図４，図６に示すように、前記テープＬＥＤ（９）（９３）が、上方向に発光するＬＥＤチップ（９ａ）を有する。
【００１５】
例えば図５，図６に示すように、前記上板が、拡散板（１０２）である。
【００１６】
例えば図４に示すように、前記畳床（２）の側端隅部の表側を所定量切欠き、該切欠いた凹部に前記畳縁（５）を配置した。
【００１７】
なお、上記カッコ内の符号は、図面と対照するためのものであるが、これにより実用新案登録請求の範囲に記載の構成に何等影響を及ぼすものではない。
【考案の効果】
【００１８】
請求項１に係る本考案によると、畳縁に対応する側端隅部の上面にテープ光源を配置し、該テープ光源を覆うように、畳縁を畳床に固定したので、畳自体は通常の畳を用いることができ、畳が有する柔軟性、弾力性等の特有の機能をそのまま保持しつつ、畳縁部分からテープ光源からの光を発光し、寝室に用いて該光が睡眠の邪魔になることなく、かつ夜間の覚醒時に足下を照らして安全を確保することができ、また飲食店等に用いて、畳と縁部の光を相乗した特有の雰囲気を醸し出して、様々な意匠を演出することができる。
【００１９】
畳縁にテープ光源を内包するだけの簡単な構成であり、比較的安価に発光畳を提供することができ、かつ畳縁の交換等は、通常の畳表の張替えと同様に簡単に行うことができ、既存の部屋に本発光畳を容易に適用することが可能であると共に、発光畳の修理、交換等も簡単に行うことができる。
【００２０】
請求項２に係る本考案によると、テープ光源は、板材及び上板により保護されるので、例えテープ光源に踏圧が作用しても、テープ光源が破損する虞を低減することができる。また、テープ光源は、上板を透って畳縁から発光し、柔らかな光とすることができる。
【００２１】
請求項３に係る本考案によると、テープＬＥＤ等のテープ光源の発熱は、金属箔等の金属薄板により放熱されるので、テープ光源の過熱を抑えてテープ光源の寿命を確保できる。また、金属薄板は、テープ光源の反射板として機能することも可能であり、テープ光源の発光を効率よく利用することができる。
【００２２】
請求項４に係る本考案によると、テープ光源としてテープＬＥＤを用いることにより、比較的安価で豊富な種類のテープＬＥＤから選択して、安価で各種の発光畳を提供することができる。
【００２３】
請求項５に係る本考案によると、側方発光タイプのテープＬＥＤを用いて、該テープＬＥＤの側方向の発光を、導光板の側端から入光して上面から発光することにより、広い範囲の畳縁部からの発光を得ることができ、各種の意匠への適用及び足下の照明等の各種利用に向けて設計の範囲を拡大することができる。
【００２４】
請求項６に係る本考案によると、上方向に発光するＬＥＤチップを有するテープＬＥＤを用いて、上面発光のみによる発光の外にも、上面発光ＬＥＤチップに側面発光ＬＥＤチップを加えた全面発光タイプのテープＬＥＤを用いて、畳縁全面での発光も可能にして、各種意匠及び各種の利用に応じた幅広い設計が可能となる。
【００２５】
請求項７に係る本考案によると、上板として拡散版を用いることにより、ＬＥＤ光源の保護機能を維持しつつ、テープ光源からの光を拡散して、柔らかい光を畳縁部分から発光し、畳縁からぼやっと光る高い意匠性及び利用性を有する発光畳を得ることができる。
【００２６】
請求項８に係る本考案によると、畳床の側端隅部を一部切欠いて、そこに上記テープ光源等を内包した畳縁を配置するので、畳縁の出っ張りを通常の畳と同じにすることができる。
【図面の簡単な説明】
【００２７】
【図１】本考案の実施の形態による一部破断した発光畳を示す全体斜視図。
【図２】その縁部分を分解断面した斜視図。
【図３】縁部分の断面図。
【図４】一部変更した実施の形態による断面図。
【図５】本考案の他の実施の形態の断面図。
【図６】その一部変更した実施の形態による断面図。
【考案を実施するための形態】
【００２８】
本考案の実施の形態に係る発光畳１は、図１に示すように、畳床２と畳表３と畳縁５とを有する。畳床２は、藁、ポリスチレンフォーム、インションシレーションボートからなり、これら材料の単独又は複数の材料を積層して構成される。畳表３は、イ草等を横糸として、麻糸、綿糸、ポリプロピレン等を縦糸として織ったものであり、畳床２の表面に配置される。畳縁５は、ナイロン、綿等の布からなり、畳表３を切落した幅方向側端隅部Ｆを覆って畳床２に縫いつけて、型崩れやほつれをなくす。本発光畳１は、畳縁５の内側にテープ光源を固定して、畳縁部分から発光するものであり、畳１自体は、どのような種類のものにも適用可能である。
【００２９】
畳の側端隅部Ｆである畳縁部分は、図２及び図３に示すように、畳表３の幅方向端部（切落し部）上面に、隅部の稜線Ｒにその外側を揃えてベニヤ板等からなる保護用の板材６を貼付ける。該板材６の内側に、畳縁５及び複数板の和紙又は化学繊維からなるシート（縁下紙）７…を重ねて畳表３上に縫付け等により固定される。該シート７及び板材６の上面及び畳側面Ｓに亘って、アルミホイール等の熱伝導性の高い金属箔（薄板）８が貼付けられる。保護用の板材６の内側に沿って、テープ光源としてのテープＬＥＤ９が上記金属箔８上に貼付けられる。テープＬＥＤ９は、多数のＬＥＤチップ（発光ダイオード）９ａがテープ表面にその長手方向に沿って等間隔に配列されており、各ＬＥＤチップ９ａは上方に向けて発光する（全面発光タイプ）。テープＬＥＤ９の上記貼付け固定された状態において、ＬＥＤチップ９ａの高さは、板材６の高さと略々等しいか、或いはそれより僅かに低くなるように、上記板材６の厚さが調整されている。
【００３０】
上記略々同じ高さにあるテープＬＥＤ９と板材６上の金属箔８の上に上板１０が載置される。該上板１０は、乳白色等の半透明のプラスチック板からなり、人が縁５を踏むことによる圧力を、上記板材６と相俟って受けて、テープＬＥＤ９に直接作用することによるテープＬＥＤ９の破損を防止すると共に、テープＬＥＤ９からの光を和らげる。そして、幅方向の一側端部５ａが、テープＬＥＤ９を包むように折曲げられて畳表３上に固定されている畳縁５は、該複数のシート７を内側にして上板８上を覆うように畳側面Ｓに折曲げられ、その他側端部５ｂが該側面Ｓに縫付けられる。これにより、畳縁５は、テープＬＥＤ９を覆うように畳床２に固定され、かつ縁下紙となるシート７及び板材６、上板１０によりテープＬＥＤ９を保護しつつ、畳１の隅部Ｆを型づけるように固定される。上記畳縁５は、半透明の繊維又は織目の粗い布、そして熱伝導性及び放熱性の高い素材からなることが好ましく、テープＬＥＤ９からの光が、シート７及び畳縁５を通して畳１の外に漏れて縁部が発光する。前記テープＬＥＤ９の配線９ｅは、図１に示すように、畳１の縁５の一端から導出され、コネクタ１２を介してコントローラ１３、更にＡＣアダプタ１５に接続され、家庭電源用のプラグ１６に接続される。前記テープＬＥＤ９の他端の配線９ｆは、畳１の縁５の他端から導出され、隣接する畳のテープＬＥＤに接続するようにコネクタ１２１が設けられている。
【００３１】
ついで、前記発光畳１の用い方及びその作用について説明する。発光畳１は、自宅住居、旅館、飲食店等において、床全体を敷きつめて日本間として、又はフローリング床の一部に敷いて置き畳として用いられる。自宅住居又は旅館の寝室として用いる場合、発光畳１を部屋の一部に又は部屋全体に敷く。この際、発光畳１は、畳の両縁５にテープＬＥＤを配置したもの、畳の一方の縁５にのみテープＬＥＤを配置したものでもよい。特に、部屋の周囲部分、例えば壁又は押入れ、床の間に接する部分にテープＬＥＤ９が位置されるように発光畳１を敷くと好ましい。
【００３２】
プラグ１６を家庭用コンセントに差込み、ＡＣアダプタ１５により直流１２Ｖに変換する。更に、コントローラ１３により適宜調整してコネクタ１２を介してテープＬＥＤ９に通電する。これにより、テープＬＥＤ９は発光し、ＬＥＤチップ９ａの点光源は、プラスチック板１０及び複数のシート７，７を介して拡散されて、ぼんやりとした柔らかい光となって、畳縁５の布目及び繊維を通って、縁５部分から発光する。本発光畳１を寝室に用いる場合、コントローラ１３は、連続発光又は高周波による点滅発光（人間の目には連続発光に見える）による照度の低い明りとして、部屋の隅部等をぼんやりと照らす。これにより、蒲団で寝ている人は、上記テープＬＥＤ９の光が直接目に入ることはなく、かつ乳白色プラスチック板からなる上板１０及びシート７、畳縁５の布目を通った柔らかい光となっており、睡眠に支障を与えることはなく、また夜中に目が覚めた際、フットライトのように畳１の縁部が光っているので、支障なく歩いてトイレ等に行くことができる。
【００３３】
また、発光畳１自体は、畳縁５を除いて通常の畳そのままなので、畳がもつ柔軟性、弾力性、保温性、保湿性をそのまま違和感なく享持することができる。テープＬＥＤ９がある畳縁５は、テープＬＥＤ９のない通常の畳縁５’（図１参照）より若干高くなっているが、該畳縁部分Ｆは、一般に部屋の隅部の壁際に配置されるので、支障となることはない。また、例え、該畳縁５を踏んでも、テープＬＥＤ９は、所定高さの板材６が並んで配置され、かつその上にプラスチック板からなる上板１０が載置されて保護されているので、テープＬＥＤ９が破損することはない。寝室に用いられる場合、連続光であっても、テープＬＥＤ９の照度は、ボヤとしたもので足り、消費電力は低く、従ってテープＬＥＤ９の発熱量は低く、金属箔８により有効に放熱されて、テープＬＥＤ９の寿命を低下することはない。
【００３４】
飲食店等で本発光畳１を所定照度下で用いられる場合、テープＬＥＤ９は、所定輝度のものが用いられる。この場合、コントローラ１３によりテープＬＥＤ９は、所定時間間隔の点滅発光で用いて、所定雰囲気を醸し出すように演出することが好ましい。この際、テープＬＥＤ９は、高い輝度用のＬＥＤチップ９ａとなるが、点滅点灯であるため発熱量は低く、金属箔８による放熱でテープＬＥＤ９が高温となることはなく、テープＬＥＤの寿命低下を防止することができる。
【００３５】
本実施の形態による発光畳１は、図３に示すように、通常の畳の畳床２をそのまま用いて、畳縁５内にテープＬＥＤ９等を包み込んだため、隅部Ｆは、通常の畳に比べて若干高くなる。これをなくした実施の形態を図４に示す。なお、先の実施の形態と同じ部分は同一符号を付して説明を省略する。本実施の形態による発光畳１１は、畳縁５に対応する畳床２の隅部Ｆ１の表面側を所定量削取り、切欠き凹部１１を形成する。該切欠き凹部１１の深さは、板材６及び上板１０の積層した厚さに略々等しく設定する。本発光畳１１は、該切欠き凹部１１内に、畳表３を敷き込み、先の実施の形態と同様な板材６、テープＬＥＤ９、上板１０を包み込んで畳縁５を畳床２に固定する。
【００３６】
これにより、テープＬＥＤ９を内包した畳縁部分Ｆ１は、通常の畳における縁と同じ厚さになる。
【００３７】
なお、上述した実施の形態は、テープＬＥＤ９の上方に乳白色のプラスチック板からなる上板１０を置いて、複数の和紙等からなるシート（縁下紙）７と相俟って、テープＬＥＤ９からの点光源を柔らかい光に拡散しているが、該プラスチック板１０に換えて、高拡散性アクリル樹脂からなる拡散板又は表面に微細な凹凸を有するフィルムを貼付けたレンズ拡散板を上板１０に用いてもよい。これにより、拡散板からなる上板１０により、テープＬＥＤ９からの光は、更に拡散されて、畳縁５全体がぼやっと光る柔らかい光となる。なお、アクリル樹脂等からなる拡散板でも、上板１０としての充分な強度を有しており、踏圧によるテープＬＥＤ９の破損を防止し得る。
【００３８】
また、飲食店における発光畳による演出にあっては、テープＬＥＤ９の点光源をそのまま点滅する方が効果的な場合もあり、その場合、上板１０は、透明板でもよい。上板１０が透明板の場合及び拡散板の場合、和紙等からなるシート７，７は、用いなくてもよい。また、上述した板材６、上板１０の両方又は一方を省いてもよく、またテープＬＥＤ９を畳の外側に、板材６をテープＬＥＤ９の内側に配置してもよく、更にテープＬＥＤ９は、畳の長さ方向の一部にのみ配置してもよい。
【００３９】
ついで、図５に沿って他の実施の形態について説明する。発光畳１２は、畳床２及び畳表３からなる畳の側端隅部Ｆ２における畳表３上に畳縁５の一側端部５ａが折畳められるように縫われて固定される。該畳縁の一側端部５ａから畳の側面Ｓに亘る幅からなるアルミホイール等の金属箔８が畳隅部Ｆ２の長辺に亘って貼付けられる。該畳の隅稜線Ｒに合せるように前記板材である導光板６２を上記金属箔８上に貼付けることにより固定する。該導光板６は、側端からの光を裏面の金属箔８で反射しながら上（表）面の全面に亘って出光するアクリル板からなり、畳縁部の全長に亘って配置される。該導光板６の内側に隣接して側面発光タイプのテープＬＥＤ９２が貼付けられ、該テープＬＥＤ９２の側面ＬＥＤチップ９ｂが導光板６の端面に向って側方に発光する。ＬＥＤチップ９ｂに対して導光板６２と反対側のテープＬＥＤ９２上には間座板１９がテープＬＥＤ９２の全長に沿って連続して又は所定間隔毎に貼付けられる。間座板１９の厚さは、ＬＥＤチップ９ｂの厚さと略々同等か又はそれより僅かに厚いように設定されている。
【００４０】
該間座板１９及び前記導光板からなる板材６２の上に拡散板からなる上板１０２が載置される。そして、前記一側端部５ａが畳床２及び畳表３に縫止め固定されている畳縁５は、上記拡散板１０２を覆うようにしてその他側端部５ｂが畳側面Ｓに折込まれて、該畳側面Ｓに縫止めされる。
【００４１】
本発光畳１２は、テープＬＥＤ９２の側面ＬＥＤチップ９ｂから側方に向けて発光された光が導光板６２の一端面に入光され、導光板６２は、該点状の光を上面に向くように偏向してその全面から出光する。更に、該導光板６２からの出光は、拡散板１０２により拡散されて、畳縁５の幅方向半面以上から柔らかい光で発光する。これにより、本発光畳１２は、寝室に用いられて好適であり、夜間、畳縁５の広い範囲でボヤと光るよう発光し、旅館等にあって優しくリラックスした雰囲気を醸し出し、かつ夜間起きた際の安全を確保する。なお、上板１０２は、拡散板に限らず、プラスチック板でも透明板でもよい。また、畳縁５の高さは、図２及び図３に示す実施の形態より低くなり、かつ踏圧に対して、間座板１９、側板である導光板６２及び上板１０２に形成される空間にＬＥＤチップ９ａが位置するため、充分に耐えることができる。また、テープＬＥＤを点滅照明する等により、飲食店等の演出として用いることも可能である。本発光畳１２にあって、前記間座板１９を省略してもよい。これにより、畳縁５の内側が丸くなり、滑らかに畳表３と接する。
【００４２】
図６は、更に変更した実施の形態を示す図であり、図５に示す実施の形態と同じ部分は、同一符号を付して説明を省略する。本実施の形態による発光畳１３は、側面発光タイプに代えて、前面発光用のＬＥＤチップ９ａ及び側面発光用のＬＥＤチップ９ｂを有する全面発光タイプのテープＬＥＤ９３を用いる。また、図５に示す実施の形態にあった間座板１９は省かれている。
【００４３】
本実施の形態による発光畳１３は、全面発光タイプのテープＬＥＤ９３の側面発光ＬＥＤチップ９ｂからの光は、導光板６２及び拡散板１０２を通って、畳縁５の幅方向外側半分以上に亘って発光し、前面発光ＬＥＤチップ９ａからの光は、拡散板１０２を通って、畳縁５の幅方向内側半分近くに亘って発光する。これにより、本発光畳１３は、畳縁５の全幅に亘ってかつ全長に亘って、連続するように発光し、特有の雰囲気を醸し出すことができる。なお、前述した実施の形態と同様に、畳縁５に沿って点状に発光したり、点滅発光したりすることも可能である。
【００４４】
なお、上述した実施の形態は、テープ光源としてテープＬＥＤを用いたが、テープＬＥＤは、防水タイプでも非防水タイプでもよく、ＲＧＢカラータイプ等のあらゆるテープＬＥＤが適用可能である。更に、テープ光源は、有機エレクトロルミネッセンス素子による面状可撓性発光体等の他のものでもよい。また、ベニヤ板、導光板等の側板との間にテープ光源を挟むように、畳表３との間に間座板を配置してもよい。アルミホイール等の金属箔は、テープ光源からの熱を放熱する放熱板として機能する外、図５、図６の実施の形態では反射板として機能するが、金属箔は、必ずしも箔とは限らず、所定板厚からなるアルミ板等の金属薄板でもよく、金属薄板とは、金属箔を含む概念である。また、本発光畳は、上述した以外に、避難路を示す誘導灯として用いる等、どのようなものにも適用可能である。
【符号の説明】
【００４５】
１，１１，１２，１３        発光畳
２        畳床
３        畳表
５        畳縁
６，６２        板材（導光板）
８        金属薄板（金属箔）
９，９２，９３        テープ光源（テープＬＥＤ）
９ａ        前面ＬＥＤチップ
９ｂ        側面ＬＥＤチップ
１０，１０２        上板（拡散板）
Ｆ，Ｆ１，Ｆ３        側端隅部（畳縁部分）
Ｒ        稜線
【図１】
0003200205.tif 000003
【図２】
0003200205.tif 000004
【図３】
0003200205.tif 000005
【図４】
0003200205.tif 000006
【図５】
0003200205.tif 000007
【図６】
0003200205.tif 000008